【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】データ転送装置、データ転送システム及びプログラム並びにデジタルカメラ
【手続補正２】
【補正対象書類名】明細書
【補正対象項目名】特許請求の範囲
【補正方法】変更
【補正の内容】
【特許請求の範囲】
【請求項１】  デジタルカメラで使用される複数のデータを含むグループデータを少なくとも一つ格納する格納手段と、
前記格納手段からユーザによって選択されたグループデータを取り出し、前記格納手段から取り出したグループデータを前記デジタルカメラに転送する転送手段とを有することを特徴とするデータ転送装置。
【請求項２】  前記格納手段に格納されている少なくとも一つのグループデータの中から選択されたグループデータに含まれる複数のデータを再生する再生手段をさらに有することを特徴とする請求項１に記載のデータ転送装置。
【請求項３】  前記再生手段はさらに、前記デジタルカメラに格納されている少なくとも一つのグループデータの中から選択されたグループデータを前記デジタルカメラから取り出し、前記デジタルカメラから取り出したグループデータに含まれる複数のデータを再生することを特徴とする請求項２に記載のデータ転送装置。
【請求項４】  前記格納手段に格納されている少なくとも一つのグループデータを示す情報と、前記デジタルカメラに格納されている少なくとも一つのグループデータを示す情報とを表示装置に表示することを特徴とする請求項１から３のいずれかに記載のデータ転送装置。
【請求項５】  前記グループデータに含まれる各データの名称は、同じ文字列を有することを特徴とする請求項１から４のいずれかに記載のデータ転送装置。
【請求項６】  前記グループデータに含まれる複数のデータの一つは、前記デジタルカメラのシャッターボタンを操作したときに再生される音に対応することを特徴とする請求項１から５のいずれかに記載のデータ転送装置。
【請求項７】  前記グループデータに含まれる複数のデータの一つは、前記デジタルカメラのボタンを操作したときに再生される音に対応することを特徴とする請求項１から６のいずれかに記載のデータ転送装置。
【請求項８】  前記グループデータに含まれる複数のデータの一つは、セルフタイマーを用いた撮影をするときに再生される音に対応することを特徴とする請求項１から７のいずれかに記載のデータ転送装置。
【請求項９】  前記グループデータに含まれる複数のデータの一つは、前記デジタルカメラの電源を入れたときに再生される音に対応することを特徴とする請求項１から８のいずれかに記載のデータ転送装置。
【請求項１０】  前記グループデータに含まれる複数のデータの一つは、前記デジタルカメラの電源を入れたときに表示される画像に対応することを特徴とする請求項１から９のいずれかに記載のデータ転送装置。
【請求項１１】  前記データ転送装置は、パーソナルコンピュータであることを特徴とする請求項１から１０のいずれかに記載のデータ転送装置。
【請求項１２】  請求項１から１１のいずれかに記載のデータ転送装置と、
前記データ転送装置から転送されたグループデータを使用するデジタルカメラとを有することを特徴とするデータ転送システム。
【請求項１３】  デジタルカメラで使用される複数のデータを含むグループデータを少なくとも一つ格納する格納手段からユーザによって選択されたグループデータを取り出すステップと、
前記格納手段から取り出したグループデータを、転送手段を用いて前記デジタルカメラに転送するステップとをコンピュータに実行させることを特徴とするプログラム。
【請求項１４】  前記格納手段に格納されている少なくとも一つのグループデータの中から選択されたグループデータに含まれる複数のデータを再生するステップを前記コンピュータに実行させることを特徴とする請求項１３に記載のプログラム。
【請求項１５】  前記デジタルカメラに格納されている少なくとも一つのグループデータの中から選択されたグループデータを前記デジタルカメラから取り出すステップと、
前記デジタルカメラから取り出したグループデータに含まれる複数のデータを再生するステップとを前記コンピュータに実行させることを特徴とする請求項１３または１４に記載のプログラム。
【請求項１６】  前記格納手段に格納されている少なくとも一つのグループデータを示す情報、前記デジタルカメラに格納されている少なくとも一つのグループデータを示す情報とを表示装置に表示するステップを前記コンピュータに実行させることを特徴とする請求項１３から１５のいずれかに記載のプログラム。
【請求項１７】  前記グループデータに含まれる各データの名称は、同じ文字列を有することを特徴とする請求項１３から１６のいずれかに記載のプログラム。
【請求項１８】  前記グループデータに含まれる複数のデータの一つは、前記デジタルカメラのシャッターボタンを操作したときに再生される音に対応することを特徴とする請求項１３から１７のいずれかに記載のプログラム。
【請求項１９】  前記グループデータに含まれる複数のデータの一つは、前記デジタルカメラのボタンを操作したときに再生される音に対応することを特徴とする請求項１３から１８のいずれかに記載のプログラム。
【請求項２０】  前記グループデータに含まれる複数のデータの一つは、セルフタイマーを用いた撮影をするときに再生される音に対応することを特徴とする請求項１３から１９のいずれかに記載のプログラム。
【請求項２１】  前記グループデータに含まれる複数のデータの一つは、前記デジタルカメラの電源を入れたときに再生される音に対応することを特徴とする請求項１３から２０のいずれかに記載のプログラム。
【請求項２２】  前記グループデータに含まれる複数のデータの一つは、前記デジタルカメラの電源を入れたときに表示される画像に対応することを特徴とする請求項１３から２１のいずれかに記載のプログラム。
【請求項２３】  デジタルカメラであって、
前記デジタルカメラで使用される複数のデータを含むグループデータをデータ転送装置から受信する受信手段と、
前記受信手段によって受信されたグループデータを格納する格納手段とを有し、
前記格納手段に格納されている複数のグループデータの中から選択されたグループデータに含まれる複数のデータを、前記デジタルカメラで使用できるように設定することを特徴とするデジタルカメラ。
【請求項２４】  前記格納手段に格納されている複数のグループデータの中から選択されたグループデータに含まれる複数のデータを再生する再生手段をさらに有することを特徴とする請求項２３に記載のデジタルカメラ。
【請求項２５】  前記グループデータに含まれる複数のデータの一つは、前記デジタルカメラのシャッターボタンを操作したときに再生される音に対応することを特徴とする請求項２３または２４に記載のデジタルカメラ。
【請求項２６】  前記グループデータに含まれる複数のデータの一つは、前記デジタルカメラのボタンを操作したときに再生される音に対応することを特徴とする請求項２３から２５のいずれかに記載のデジタルカメラ。
【請求項２７】  前記グループデータに含まれる複数のデータの一つは、セルフタイマーを用いた撮影をするときに再生される音に対応することを特徴とする請求項２３から２６のいずれかに記載のデジタルカメラ。
【請求項２８】  前記グループデータに含まれる複数のデータの一つは、前記デジタルカメラの電源を入れたときに再生される音に対応することを特徴とする請求項２３から２７のいずれかに記載のデジタルカメラ。
【請求項２９】  前記グループデータに含まれる複数のデータの一つは、前記デジタルカメラの電源を入れたときに表示される画像に対応することを特徴とする請求項２３から２８のいずれかに記載のデジタルカメラ。
【手続補正３】
【補正対象書類名】明細書
【補正対象項目名】０００１
【補正方法】変更
【補正の内容】
【０００１】
【発明の属する技術分野】
本発明は、デジタルカメラで使用されるデータを当該デジタルカメラに転送するためのデータ転送装置、データ転送システム及びプログラム並びにデジタルカメラに関するものである。
【手続補正４】
【補正対象書類名】明細書
【補正対象項目名】０００４
【補正方法】変更
【補正の内容】
【０００４】
本発明は、上記課題に鑑みてなされ、所定のテーマに係る複数のデータ（シャッター音、セルフタイマー音などを含む）をまとめてデジタルカメラに転送できるようにし、当該複数のデータを当該デジタルカメラに設定する際のユーザの負荷を軽減できるようにすることを目的とする。
【手続補正５】
【補正対象書類名】明細書
【補正対象項目名】０００５
【補正方法】変更
【補正の内容】
【０００５】
【課題を解決するための手段】
本発明に係るデータ転送装置は、例えば、デジタルカメラで使用される複数のデータを含むグループデータを少なくとも一つ格納する格納手段と、前記格納手段からユーザによって選択されたグループデータを取り出し、前記格納手段から取り出したグループデータを前記デジタルカメラに転送する転送手段とを有することを特徴とする。
【手続補正６】
【補正対象書類名】明細書
【補正対象項目名】０００６
【補正方法】変更
【補正の内容】
【０００６】
また、本発明に係るデータ転送システムは、例えば、上記のデータ転送装置と、前記データ転送装置から転送されたグループデータを使用するデジタルカメラとを有することを特徴とする。
【手続補正７】
【補正対象書類名】明細書
【補正対象項目名】０００７
【補正方法】変更
【補正の内容】
【０００７】
また、本発明に係るプログラムは、例えば、デジタルカメラで使用される複数のデータを含むグループデータを少なくとも一つ格納する格納手段からユーザによって選択されたグループデータを取り出すステップと、前記格納手段から取り出したグループデータを、転送手段を用いて前記デジタルカメラに転送するステップとをコンピュータに実行させることを特徴とする。
【手続補正８】
【補正対象書類名】明細書
【補正対象項目名】０００８
【補正方法】変更
【補正の内容】
【０００８】
また、本発明に係るデジタルカメラは、例えば、デジタルカメラであって、前記デジタルカメラで使用される複数のデータを含むグループデータをデータ転送装置から受信する受信手段と、前記受信手段によって受信されたグループデータを格納する格納手段とを有し、前記格納手段に格納されている複数のグループデータの中から選択されたグループデータに含まれる複数のデータを、前記デジタルカメラで使用できるように設定することを特徴とする。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００４９
【補正方法】変更
【補正の内容】
【００４９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
この場合、記憶媒体から読み出されたプログラムコード自体が前述した実施形態の機能を実現することになり、そのプログラムコードを記憶した記憶媒体は本発明を構成することになる。
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【発明の効果】
以上説明したように、本発明によれば、所定のテーマに係る複数のデータ（シャッター音、セルフタイマー音などを含む）をまとめてデジタルカメラに転送でき、当該複数のデータを当該デジタルカメラに設定する際のユーザの負荷を軽減できる。